(57)【要約】【課題】床材の施工を低コスト化できる床材の設置構造を提供する。【解決手段】四周の枠材１１内に芯材１２を配し、すくなくともその表面側に平板材１３を貼りつけてなる第１の床材１０と、複数の平板材２１、２２を積層してなる第２の床材２０とが床施工面１に組合せ配設される床材の設置構造であって、床施工面１は、床施工作業単位ごとに区画された１以上の区画施工面Ａ、Ｂ、Ｃを有しており、一定寸法の標準材３１と、標準材３１の寸法よりも小さい非標準材３２とが、区画施工面Ａ、Ｂ、Ｃごとに組合せ配設される構成とされており、標準材３１としてすくなくとも第１の床材１０が用いられ、非標準材３２として一部を切除してなる第２の床材２０が用いられる。【選択図】図１
2018162603.tif 000002
【特許請求の範囲】
【請求項１】
四周の枠材内に芯材を配し、すくなくともその表面側に平板材を貼りつけてなる第１の床材と、複数の平板材を積層してなる第２の床材とが床施工面に組合せ配設される床材の設置構造であって、
前記第１の床材は前記床施工面の中央部に配設され、前記第２の床材は前記床施工面の端部に配設されることを特徴とする床材の設置構造。
【請求項２】
四周の枠材内に芯材を配し、すくなくともその表面側に平板材を貼りつけてなる第１の床材と、複数の平板材を積層してなる第２の床材とが床施工面に組合せ配設される床材の設置構造であって、
前記床施工面は、床施工作業単位ごとに区画された１以上の区画施工面を有しており、
一定寸法の標準材と、該標準材の寸法よりも小さい非標準材とが、前記区画施工面ごとに組合せ配設される構成とされており、
前記標準材として前記第１の床材がすくなくとも用いられ、前記非標準材として前記第２の床材の一部を切除してなる床材が用いられることを特徴とする床材の設置構造。
【請求項３】
請求項２において、
間仕切り壁を設置した後に床を施工する壁先行工法にて施工される設置構造とされており、
前記区画施工面は、前記床施工面が設置済みの前記間仕切り壁により区切られてなる小施工面とされることを特徴とする床材の設置構造。
【請求項４】
請求項２において、
床を施工した後に間仕切り壁を設置する床先行工法にて施工される設置構造とされており、
前記区画施工面は、前記床施工面の全体とされることを特徴とする床材の設置構造。
【発明の詳細な説明】
【技術分野】
【０００１】
本発明は、床施工面に対する床材の設置構造に関する。
【背景技術】
【０００２】
床施工面に床材を設置する場合、床施工面の端部などにおいては、スペースの関係から、標準寸法の床材（標準材）をそのままでは設置できないことがある。このような設置構造において、標準材の一部を切除してなる非標準材を用いることが一般的である。また、特許文献１には、単位ピースの材料を組み合わせて標準寸法の床材（標準材）を形成しておき、小さいものが必要なときには、一部の単位ピースを分離、除去して小さめの床材（非標準材）を得る方法が提案されている（特許文献１参照）。
【先行技術文献】
【特許文献】
【０００３】
【特許文献１】特開２００７−９４４０号公報
【発明の概要】
【発明が解決しようとする課題】
【０００４】
しかしながら、合板を基材としてその上にＭＤＦを貼り合わせ、さらに表面化粧を施した床材は一般に値段が高く、その一部を切除して用いれば切除部分が無駄になり、施工コストが増大化する。また、特許文献１の方法では、標準寸法の床材の製造が面倒であり、低コスト化を実現することは困難である。
【０００５】
本発明は、このような事情を考慮して提案されたもので、その目的は、床材の施工を低コスト化できる床材の設置構造を提供することにある。
【課題を解決するための手段】
【０００６】
上記目的を達成するために、本発明に係る床材の設置構造は、四周の枠材内に芯材を配し、すくなくともその表面側に平板材を貼りつけてなる第１の床材と、複数の平板材を積層してなる第２の床材とが床施工面に組合せ配設される床材の設置構造であって、第１の床材は床施工面の中央部に配設され、第２の床材は床施工面の端部に配設されることを特徴とする。
【０００７】
また、他の本発明に係る床材の設置構造は、四周の枠材内に芯材を配し、すくなくともその表面側に平板材を貼りつけてなる第１の床材と、複数の平板材を積層してなる第２の床材とが床施工面に組合せ配設される床材の設置構造であって、床施工面は、床施工作業単位ごとに区画された１以上の区画施工面を有しており、一定寸法の標準材と、標準材の寸法よりも小さい非標準材とが、区画施工面ごとに組合せ配設される構成とされており、標準材としてすくなくとも第１の床材が用いられ、非標準材として第２の床材の一部を切除してなる床材が用いられることを特徴とする。
【発明の効果】
【０００８】
本発明に係る床材の設置構造によれば、上述した構成となっているため、第１の床材を第２の床材にくらべ安価な材料を用いて製造することができ、その結果、床材の施工を低コスト化することができる。
【０００９】
また、他の本発明に係る床材の設置構造によれば、上述した構成となっているため、第１の床材を第２の床材にくらべ安価な材料を用いて製造することができ、かつ、その第１の床材を区画施工面において中央部などの大部分に使用される標準材として使用することができる。そのため、床材の施工を低コスト化することができる。
【図面の簡単な説明】
【００１０】
【図１】本発明の一実施形態に係る床材の設置構造で用いられる床材の説明図である。（ａ）は第１の床材の分解斜視図、（ｂ）は第２の床材の分解斜視図である。
【図２】同床材の設置構造の一態様を示す床面の平面図である。
【図３】同床材の設置構造の他の態様を示す床面の平面図である。
【図４】本発明の他の実施形態に係る床材の設置構造を示す床面の平面図である。
【発明を実施するための形態】
【００１１】
以下に、本発明の実施の形態について説明する。まず、以下の２種の実施形態のいずれにも用いられる２種の床材について、図１（ａ）（ｂ）を参照しながら説明する。
【００１２】
第１の床材１０は、図１（ａ）に示すように、四周の枠材１１内に芯材１２を配し、すくなくともその表面側に平板材１３を貼りつけて構成されている。つまり、枠材１１と芯材１２とにより下層の基材部が構成され、平板材１３により上層部が構成される。四周の枠材１１は各辺に対応した４本の材料１１ａ、１１ｂを用いて形成すればよい。それぞれの材料はたとえば合板で構成されればよい。
【００１３】
また芯材１２にはより安価な材料が用いられればよく、たとえばインシュレーションボードやＭＤＦなど木材繊維を主原料とした木質ボードでもよいし、木材小片を主原料としたパーティクルボードでもよい。石膏ボードを芯材として用いてもよい。
【００１４】
芯材１２および枠材１１の表面側に設けられる平板材１３としては、たとえば木質系の板材を用いることができ、安価なＭＤＦを好適に使用できる。また、ＭＤＦの表面には化粧材（不図示）として化粧シートや突板が貼着されている。
【００１５】
この第１の床材１０は、このように外周部に枠材１１を配したものであるため、内部の芯材１２を露出するように一部を切除して用いることには不向きであり、よって切断することなくそのままの形で床材として用いられる。芯材１２を上記のような安価な材料で構成すれば、第１の床材１０を低コストで製造することができる。
【００１６】
一方、第２の床材２０は、図１（ｂ）に示すように、複数の平板材２１、２２を積層して構成されている。下層の平板材２１は本床材の基材とされ、たとえば合板などの木質材で形成されればよい。また、上層の平板材２２にはＭＤＦを好適に使用できる。また、上層の平板材２２の表面には化粧材（不図示）として化粧シートや突板が貼着されている。第２の床材２０は断面が均一な層構造のものであるため、切断してもほとんど強度が落ちることはない。そのため、この第２の床材２０は、一部を切除して設置される床材として用いられる。
【００１７】
第１、第２の床材１０、２０で共通する上層側に設けた平板材１３、２２の側端部には実が形成されていてもよい。この平板材１３、２２は本例では加工しやすいＭＤＦで構成されているため、容易に実加工ができる。
【００１８】
また、第１、第２の床材１０、２０は、たとえば裏面側にさらなる平板材を積層したものであってもよい。なお、第１、第２の床材１０、２０はともに、床施工面１に対して組合せ配設される床材の設置構造に使用されるものであるため、全体の厚みが略同一であることが望ましい。
【００１９】
ついで、図２、図３に例示した実施形態について説明する。これらの図は外壁に囲まれた床面を示したもので、いずれも同一形状、同一寸法の床施工面１に対する床材の設置構造を平面図として示したものである。いずれも、床材を千鳥配列状に設置したものである。
【００２０】
図２は、間仕切り壁Ｘ、Ｙを設置した後に床を施工する壁先行工法にて施工される設置構造を示した図である。図３は、床を施工した後に間仕切り壁Ｘ、Ｙを設置する床先行工法にて施工される設置構造を示した図である。
【００２１】
床施工面１は床施工作業単位ごとに区画された１以上の区画施工面Ａ、Ｂを有している。図２のものは壁先行工法にて施工される設置構造であるため、床施工面１には間仕切り壁Ｘ、Ｙで仕切られてなる２つの小施工面（区画施工面Ａ、Ｂ）が含まれている。また、図３のものは床先行工法にて施工される設置構造であるため、区画施工面Ｃは床施工面１に一致する。
【００２２】
図２、図３のいずれについても、区画施工面Ａ、Ｂ、Ｃには、一定寸法（図１に示した形状）の標準材３１と、標準材３１よりも小さい非標準材３２とが、区画施工面Ａ、Ｂ、Ｃごとに組合せ配設されるようになっている。標準材３１として第１の床材１０がすくなくとも用いられ、非標準材３２として第２の床材２０の一部を切除してなる床材２０が用いられる。なお、本図例では長手方向の一部を切除する例を示した。
【００２３】
区画施工面Ａ、Ｂ、Ｃごとの床材の配設であるため、図２、図３の例では、その区画における左角を起点ａ、ｂ、ｃとして、図中の横方向（床材の長手方向）については右向きに順に設置され、図中の縦方向（床材の短手方向）については上向きに順に設置されるようになっている。
【００２４】
床材は千鳥配列状に並べるものであるから、たとえば床施工面１全体が１つの区画施工面とした場合、床施工面１の図中左右の辺縁部１ａ、１ｂには縦方向に交互に非標準材３２（一部切除された第２の床材２０、以下同様）が設置される。また、設置順が左から右への順であるため、床施工面１の横方向の寸法によっては、図中右側の辺縁部１ｂでは交互だけではなく、その間にも非標準材３２が配設される可能性がある。非標準材３２を設置した箇所以外は標準材３１（第１の床材１０、以下同様）が設置される。区画施工面Ａ、Ｂ、Ｃには、以上のようなルールを基準として床材が設置される。以下、図２および図３の例で具体的に説明する。なお、図２、図３において、クロスハッチングを付した床材が標準材３１（第１の床材１０）とされる。
【００２５】
図２における区画施工面Ａでは、図中左側の辺縁部１ａに隣接する部位では、起点ａから間仕切り壁Ｘまでは縦方向に標準材３１と非標準材３２とが交互に設置される。また、間仕切壁Ｙの右側に隣接する部位においても縦方向に標準材と非標準材３２とが交互に設置される。それらよりも右側では標準材３１が横方向に順に設置され、図中右側の辺縁部１ｂに隣接する部位では、縦方向のすべての床材は標準材３１よりも短く一部切除が必要であるため、非標準材３２が設置される。
【００２６】
また、図２における区画施工面Ｂでは、図中左側の辺縁部１ａでは縦方向に標準材３１と非標準材３２とが交互に設置される。それよりも右側では標準材３１が横方向に順に設置され、間仕切り壁Ｙの左側に隣接する部位では、縦方向のすべての床材は標準材３１よりも短く一部切除が必要であるため、非標準材３２が設置される。
【００２７】
一方、図３のものでは、区画施工面Ｃは床施工面１全体であるため、左角を起点ｃとして、床施工面１に対して、床材は図中の横方向については右向きに順に設置され、図中の縦方向（床材の短手方向）については上向きに順に設置されるようになっている。したがって、図中左側の辺縁部１ａに隣接する部位では、起点ｃから順に縦方向に標準材３１と非標準材３２とが交互に設置される。また、それらよりも右側では標準材３１が順に設置され、図中右側の辺縁部１ｂでは、図２と同様に非標準材３２が設置される。
【００２８】
以上のように第１、第２の床材１０、１１を組合せ配設すれば、区画施工面Ａ、Ｂ、Ｃの端部を除く中央部の多くのエリアには第１の床材１０が配設されることとなる。つまり、図３の例では、第１の床材１０が床施工面１の中央部に配設され、第２の床材２０が床施工面１の端部に配設されるようになっている。
【００２９】
したがって、第１の床材１０が第２の床材２０よりも安価であるため床材の施工を低コストで実施することができる。特に床先行工法（図３参照）の場合、壁先行工法（図２参照）の場合よりも、切除を必要とする床材（非標準材３２）が少なくなるため、標準材３１として用いる第１の床材１０を多く使用でき、その結果さらに低コスト化することができる。
【００３０】
なお、図２、図３の例では区画施工面Ａ、Ｂ、Ｃにおいて標準材３１として第１の床材１０を用いているが、その一部あるいは全部に第２の床材２０を用いることは可能である。
【００３１】
また図２、図３に示したように、区画施工面Ａ、Ｂ、Ｃの図中上端の辺縁部１ｃに隣接する部位や間仕切り壁Ｘの図中下側に隣接する部位に設置した床材は、幅寸法（短手寸法）の調整を不要とするものである。これらの部位について幅寸法を小さくする必要がある場合には、第２の床材２０を幅方向に小さくなるように切断して利用すればよい。
【００３２】
ついで、図４に例示した他の実施形態について説明する。図４は、図２、図３のものと同一形状、同一寸法の床施工面１に対する床材の設置構造を平面図として示したものである。この床施工面１には間仕切り壁Ｘ、Ｙは設置されない。床材としては、上述したように図１（ａ）に示した第１の床材１０と、図１（ｂ）に示した第２の床材２０とが用いられる。
【００３３】
この床材の設置構造は、図４に示すように、第１の床材１０が床施工面１の中央部に配設され、第２の床材２０が床施工面１の端部に配設されるようになっている。ようするに、図４のものは、床材は図３と同様の配列にて設置されるようになっている。よって、低コスト化につながる。
【００３４】
また、図４の２点鎖線で囲まれた端部部位（床施工面の図中左側の辺縁部１ａ、右側の辺縁部１ｂ、上側の辺縁部１ｃに隣接する部位）に、切除の要否にかかわらず第２の床材２０が設置されるようにしてもよい。これらの部位は非標準材３２（一部を切除した床材）が設置される可能性のある部位であるが、現場で切除の必要がないと判断された場合でも標準寸法の第２の床材２０が設置されるようにしてもよい。
【００３５】
そのようにすれば、出荷前に、床施工面１に設置する第１の床材１０と第２の床材２０のそれぞれの数を、床施工面１の形状、寸法よりあらかじめ決定しておくことができ、施工図面などを準備しておくことができる。そのため、いずれの床材を設置するべきかを現場ですぐに判別することができる。よって、床施工作業の効率化を図ることができる。また、現場で寸法誤差が発覚して端部に設置すべき床材に切除が必要となった場合でも、もともと第２の床材２０を想定しているため、切断にて対応することができる。
【００３６】
以上では、床施工面１に床材を千鳥配列状に設置した例を示したが、床材の配列はどのようなものであってもよい。
【符号の説明】
【００３７】
１                床施工面
Ａ、Ｂ、Ｃ        区画施工面
Ｘ、Ｙ            間仕切り壁
１０              第１の床材
１１              枠材
１２              芯材
１３              平板材
２０              第２の床材
２１              （下層の）平板材（基材）
２２              （上層の）平板材
３１              標準材
３２              非標準材
【図１】
2018162603.tif 000003
【図２】
2018162603.tif 000004
【図３】
2018162603.tif 000005
【図４】
2018162603.tif 000006